(57)【要約】【課題】  軽量かつ簡略化された構成でありながらセキュリティ−性を保持しうること。【解決手段】  収納本体部１は、布製のような柔軟な袋状からなる。その入口部２には該入口部を閉鎖するように付勢される弾性部材５を付属してなり、非装着時においては該弾性部材５の付勢力により該入口部１を閉じ、装着時においては硬貨類出口部１２に該入口部２がセットされることで弾性部材５の付勢力に抗して該入口部１が開かれる。【選択図】    図２
2005339062.tif 000002
【特許請求の範囲】
【請求項１】
貨幣取扱装置に着脱可能に装着される搬送用の硬貨類収納装置であって、
柔軟な袋状の収納本体部と、
前記貨幣取扱装置の硬貨類出口部にセットされるのに適した入口部とを具備し、前記入口部には該入口部を閉鎖するように付勢される弾性部材を付属してなり、
非装着時においては前記弾性部材の付勢力により前記入口部を閉じ、装着時においては前記硬貨類出口部に前記入口部がセットされることで前記弾性部材の付勢力に抗して該入口部が開かれることを特徴とする硬貨類収納装置。
【発明の詳細な説明】
【技術分野】
【０００１】
本発明は、ＡＴＭ、入金機等の貨幣処理装置（貨幣取扱装置）において受理した硬貨類を収納し、回収のために搬送可能な硬貨類収納装置に関する。
【背景技術】
【０００２】
ＡＴＭ、入金機等一般的に知られる貨幣処理装置は、大別して、貨幣計数処理部と貨幣収納部にて構成されている。この貨幣収納部には、通常、貨幣を格納・回収する為の紙幣・硬貨それぞれに個別の収納ボックスが用いられている。この種の収納ボックスは貨幣処理装置に対して着脱可能であり、脱着されたボックスは、収納した貨幣を管理センター又は銀行等で回収するために係員によって搬送される。通常、このような収納ボックスの構造の必要条件として、ボックス脱着時（非装着時）のセキュリティ−性の保持が要求される。特に、回収時に係員が収納硬貨に直接アクセスできないようにすることが必要である。そのため、従来は、この種の貨幣収納ボックスは板金構造又は樹脂構造のような強靱な構造からなっていた。これに伴い、上述のセキュリティ−性の保持を満足させる為に、高精度を保持した開閉機構付蓋構造や、この蓋の開閉駆動機構及びこれらの位置決め構造並びに機構が必要となっていた。しかし、この為、この種の収納ボックスには、複雑な構造化によるコスト高の問題と、ボックス自体の重量を軽くするこが出来ないという問題があり、また、搬送時の取り扱い性にも難があった（高精度品であるが故に取り扱いに注意が必要であり、また、固定されたボックス形状であるため運搬時の車両搭載スペースを取る）。
【発明の開示】
【発明が解決しようとする課題】
【０００３】
本発明は上述の点に鑑みてなされたもので、軽量かつ簡略化された構成でありながらセキュリティ−性を保持しうるようにした搬送用の硬貨類収納装置を提供しようとするものである。
【課題を解決するための手段】
【０００４】
本発明は、貨幣取扱装置に着脱可能に装着される搬送用の硬貨類収納装置であって、柔軟な袋状の収納本体部と、前記貨幣取扱装置の硬貨類出口部にセットされるのに適した入口部とを具備し、該入口部には該入口部を閉鎖するように付勢される弾性部材を付属してなり、非装着時においては前記弾性部材の付勢力により前記入口部を閉じ、装着時においては前記硬貨類出口部に前記入口部がセットされることで前記弾性部材の付勢力に抗して該入口部が開かれることを特徴とする。
【発明の効果】
【０００５】
本発明によれば、収納本体部は柔軟な袋状からなるので、軽量化を図ることができ、回収時の係員による搬送作業が非常に楽になる。また、構造が簡単であるため低コストに製造できる。また、ボックスのような固定されたスペースを確保することなく、柔軟に変形するので、運搬時の車両搭載スペースもあまりとらない。さらに、入口部において、該入口部を閉鎖するように付勢される弾性部材を付属してなり、装着時においては前記硬貨類出口部に前記入口部がセットされることで前記弾性部材の付勢力に抗して該入口部が開かれるが、非装着時においては弾性部材の付勢力により前記入口部を自動的に閉じるようになっているので、脱着時（非装着時）のセキュリティ−性を確保することができる。したがって、簡単な構造でありながらセキュリィティ−を保持した硬貨類収納装置を実現することができる。
【発明を実施するための最良の形態】
【０００６】
以下、添付図面を参照して本発明の実施の形態を詳細に説明しよう。
図１は、本発明に係る硬貨類収納装置の外観略図であり、収納本体部１は、柔軟な袋状（又はバッグ状）からなるものであり、例えば収納した硬貨類の重さに耐えうる強さを有する布のような素材からなる。袋状の収納本体部１の上部は入口部２となっており、この入口部２は、貨幣取扱装置（図示せず）の硬貨類出口部を嵌め込むのに適合した形状・寸法を有する。なお、図１は、この硬貨類収納装置を貨幣取扱装置から取外し、入口部２を結束バンド（又は紐）３で縛った様子を示している。
【０００７】
図２は該硬貨類収納装置の入口部２を拡大して示す断面略図であり、（ａ）はこの硬貨類収納装置を貨幣取扱装置１１に装着した状態つまり入口部２を該貨幣取扱装置１１の硬貨類出口部１１の外周に嵌め込んでセットした状態を示し、（ｂ）は該硬貨類収納装置を貨幣取扱装置１１に装着していない状態を示す。入口部２は、収納本体部１の袋上部がそのまま延びた入口外側部２ａと、その内側に設けられた布等の柔軟な素材からなるインナースリーブ４との二重構造からなる。このインナースリーブ４の上部は入口外側部２ａの上部に縫い付け等により固定されているが、下部はフリー端となっていて、ゴム又は金属バネのような適宜の弾性部材５が付属して取り付けられており、（ｂ）に示すように、この弾性部材５により、インナースリーブ４の下端が内向きに収縮して閉鎖されるように、付勢される。例えば、ゴムのような弾性部材５がインナースリーブ４の下端寄りの所定位置においてその外周に取り付けられており、インナースリーブ４の下端を、内向きに収縮するように付勢する。なお、この弾性部材５はインナースリーブ４の外周に限らず、内側に取り付けるようにしてもよいが、硬貨類のスムーズな通過を許すためには、外周に設ける方が有利である。
【０００８】
図２（ａ）に示すように、貨幣取扱装置１１の硬貨類出口部１２は下向きに突出した筒状のものであり、硬貨類収納装置を貨幣取扱装置１１に装着する場合は、この硬貨類出口部１２の外周に、硬貨類収納装置の入口部２を嵌め込む。硬貨類出口部１２の外周の所定箇所（例えば２ヶ所）にはフック１３が設けられており、これに対応して、硬貨類収納装置の入口部２の所定箇所（例えば２ヶ所）にはフック掛け用の孔６が設けられている。硬貨類出口部１２の外周に嵌め込んだ硬貨類収納装置の入口部２の孔６をフック１３に掛けることで、該入口部２が該硬貨類出口部１２の所定位置にセットされる。このとき、硬い硬貨類出口部１２は、入口部２のインナースリーブ４に付属する弾性部材５の内向きの付勢力に抗して該弾性部材５を外向きに押し広げ、これに伴い、入口部が押し開かれて、該硬貨類出口部１２の外周に嵌め込まれるようになる。こうして、装着時においては硬貨類出口部１２に入口部２がセットされることで弾性部材５の付勢力に抗して該入口部２が開かれ、貨幣取扱装置１１から出口部１２を介して落下する硬貨類が該入口部２を通過して収納本体部１内に収納されるようになる。硬貨類収納装置を硬貨類出口部１２の所定位置にセットするための位置決め構造は、上記のように、フック１３とフック掛け用の孔６だけでよいため、極めて簡単かつ低コストである。なお、光センサ（図示のような発光センサ１４ａと受光センサ１４ｂの対）あるいはその他の簡易なセンサにより、貨幣取扱装置１１にセットされた硬貨類収納装置の収納本体部１の存在を検知することで、セット確認信号を電気的に発生させ、貨幣取扱装置１１の制御装置に供給するようにするとよい。
【０００９】
この硬貨類収納装置を貨幣取扱装置１１から外して回収するときは、回収の係員の手により出口部１２のフック１３から入口部２の孔６を外し、該硬貨類収納装置を下方に引いて入口部２を出口部１２から外す。これにより、非装着状態となり、図２（ｂ）に示すように、弾性部材５の付勢力により、入口部２のインナースリーブ４の下端が自動的に内向きに収縮し、入口部２（つまりインナースリーブ４）が自動的に閉じられる。この状態で、収納本体部１を逆さまにして、中の硬貨類を入口部２から吐き出させようとしても、弾性部材５の付勢力により閉じられたインナースリーブ４が逆止め弁として機能し、入口部２の閉鎖状態が保持される。また、入口部２の内径は、最大に広げたとしても人の手を差し込みにくい寸法（例えば直径６cm程度）とすることで、入口部２の上部から手を差し込んでインナースリーブ４の下端寄りの弾性部材５を広げようとしても、それかできないようにする。また、弾性部材５をインナースリーブ４の下端寄りに設ける（逆止め弁構造を入口部２の下方寄りに設ける）ことも、そのことに役立っている。こうして、硬貨類収納装置の非装着時におけるセキュリティを確保することができる。最後に、係員は、入口部２の外側を結束バンド３で縛り付ける。
【００１０】
図１は、このように、入口部２の外側を結束バンド３で縛り付け、内部に硬貨類を収納した硬貨類収納装置を示している。図示のように、この硬貨類収納装置の袋状の収納本体部１の上部に搬送用の持ち手７が縫い付けられている。収納本体部１の側面にはレシートホルダ８が設けられており、回収処理に際して必要なレシート又は伝票類をそこに差し込むことができるようになっている。また、収納本体部１の別の側面には、内部の硬貨類を一挙に排出するためのジッパー式開閉口９が設けられており、普段は開閉口９は閉じられていて鍵１０により施錠されている。係員は、持ち手７を持ってこの硬貨類収納装置を持ち運び、車両等に搭載して金銭管理センターあるは銀行等の所定の場所まで運搬する。結束バンド３で入口部２を縛ることは、補助的に、セキュリティを高めることに役立つ。例えば、車両搬送中の振動等によりこの硬貨類収納装置が倒れたような場合、その勢いで、内部の硬貨類がインナースリーブ４と弾性部材５による逆止め弁構造を突破して入口部２からこぼれる出るようなことが、万が一にでも、起こらないようしている。目的地まで運ばれた硬貨類収納装置から、最後に、硬貨類を排出するときには、鍵１０を開けてジッパー式開閉口９を開き、そこから排出する。
【００１１】
なお、この排出構造は、ジッパー式開閉口９に限らず、他の如何なる構成でもよい。また、収納本体部１の材質は、適当な強度と柔軟性と軽量さを持つものであれば、布製に限らず、他の如何なる材質を用いてもよい。
また、弾性部材４の構造及び／又は材質等は如何なるものであってもよく、要するに、入口部２を閉鎖するように付勢力が作用するものであればよい。また、上述のような逆止め弁構造を成すのに役立つ構成であれば、なおよい。
【図面の簡単な説明】
【００１２】
【図１】本発明に係る硬貨類収納装置の一実施例の外観略図。
【図２】同実施例の入口部を拡大して示す断面略図であり、（ａ）はこの硬貨類収納装置の貨幣取扱装置に対する装着状態を示し、（ｂ）は非装着状態を示す。
【符号の説明】
【００１３】
１  収納本体部
２  入口部
２ａ  入口外側部
３  結束バンド
４  インナースリーブ
５  弾性部材
６  フック掛け用の孔
７  持ち手
１１  貨幣取扱装置
１２  貨幣取扱装置の硬貨類出口部
１３  フック
【図１】
2005339062.tif 000003
【図２】
2005339062.tif 000004